(57)【特許請求の範囲】
【請求項１】
器具ケース内にバーナーや区画された燃焼室、給排気用の燃焼ファンを含む燃焼関連器具を収納して成る燃焼装置において、
前記器具ケースの前面を成す着脱自在なフロントカバーに、吸気用開口部を設け、該開口部に吸気フィルターを装着し、
前記器具ケース内の前面端縁側に、前記吸気フィルターを含むフロントカバーの端縁側に係脱することで、フロントカバーの装着状態と非装着状態を検知するカバー装着検出手段を配設し、
前記カバー装着検出手段によりフロントカバーの非装着状態が検知された際、装置の燃焼運転が停止するように制御し、
前記器具ケース内の前面端縁側における前記カバー装着検出手段の近傍に、前記フロントカバーが非装着状態であるにも拘らず、前記カバー装着検出手段に強制的に装着状態を検知させる運転継続手段を設けたことを特徴とする燃焼装置。
【請求項２】
前記運転継続手段は、前記カバー装着検出手段の近傍に突設した取付ブラケットと、カバー装着検出手段に係合する状態で前記取付ブラケットに取付けられるドライバーとから成ることを特徴とする請求項１記載の燃焼装置。
【請求項３】
前記ドライバーを取付ブラケットから外さないと、前記フロントカバーを装着できないように構成したことを特徴とする請求項２記載の燃焼装置。
【請求項４】
前記カバー装着検出手段はＯＮ位置とＯＦＦ位置と出没可能なプランジャを備えたスイッチから成り、
前記ドライバーのブレードを嵌合させる取付ブラケットの嵌合孔を、前記カバー装着検出手段のプランジャのＯＮ上限とＯＮ下限との略中間に位置するように設けたことを特徴とする請求項２記載の燃焼装置。
【請求項５】
フロントカバーの端縁裏側に、前記取付ブラケットにドライバーを嵌合させたままフロントカバーを装着しようとすると、ドライバーに干渉する障害壁を設けたことを特徴とする請求項３記載の燃焼装置。
【請求項６】
前記フロントカバーに吸気フィルターを着脱自在に装着し、フロントカバーの端縁側に係合させた吸気フィルターの端縁側に対して、前記カバー装着検出手段が係脱するように設定したことを特徴とする請求項１，２，３，４または５記載の燃焼装置。
【発明の詳細な説明】
【０００１】
【発明の属する技術分野】
本発明は、器具ケース内にバーナーや区画された燃焼室、給排気用の燃焼ファンを含む燃焼関連器具を収納して成る燃焼装置に関し、例えば、給湯器、風呂釜、暖房機等に適用されるものである。
【０００２】
【従来の技術】
従来、屋内に設置される給湯器等の一般的な燃焼装置では、その器具ケース内に設けられた制御装置によって、給湯負荷に応じて燃焼室での燃焼量と、この燃焼量に見合う燃焼ファンの回転数とが制御され、出湯温度が設定温度に近づくように給湯の燃焼運転が制御されている。
【０００３】
この種の燃焼装置には、その器具ケース本体の側壁に外部空気を導入するための吸気孔が設けられ、この吸気孔にごみ等を取り除く吸気フィルターが設けられた給湯器がある。吸気フィルターには、清掃する際に器具ケース本体の側壁から取り外せるタイプもあり、かかる場合は吸気フィルターを取り付け忘れて燃焼運転してしまう虞れがあった。
【０００４】
このように吸気フィルターを取り付け忘れたまま燃焼運転すると、吸込み空気に混在していたごみ等が燃焼室の内壁に付着したりして、燃焼不良等の問題が生じてしまう。かかる事態を防ぐべく、例えば、取り付け時の吸気フィルターに係脱するスイッチを器具ケース本体内に設けて、該スイッチがフィルターに係合せずにＯＦＦとなる際は、給湯器の燃焼運転を停止させる機構等も既に提案されている。
【０００５】
【発明が解決しようとする課題】
しかしながら、前述したような従来の燃焼装置では、吸気孔は器具ケース本体のスペース的に比較的狭い側壁に配置されるため、大きな開口面積を得ることができず、外部空気の導入効率上問題があり、また、側壁にある吸気フィルターは位置的にも清掃、着脱しにくいという問題があった。
【０００６】
このような問題を解消するために、吸気孔や吸気フィルターを器具ケース側ではなくフロントカバーに設けるようにすれば、スペース的に開口面積を広く採ることができ、また、吸気フィルターのみの特別な係脱機構を設けることなくフロントカバーごと着脱でき、更に正面側に位置するため着脱作業も容易となる。
【０００７】
しかし、吸気孔や吸気フィルターをフロントカバーに設けるとなると、前述した吸気フィルターに係脱するスイッチを、器具ケース本体内の特に中央付近に設ける場合に、フロントカバーの中央側は前後に凹凸する歪みが大きいため、前記スイッチの可動子が係脱できないこと等による誤検出が増える虞れがある。
【０００８】
ところで、前記スイッチの可動子をフロントカバーや吸気フィルターにうまく係脱し得る位置に配設したとしても、フロントカバーを外して運転状況を確認しながらメンテナンスを行ないたいような場合もある。このような時でも、前記スイッチでは、その構造上フロントカバー等に係合しなければ必ずＯＦＦとなり、給湯器の燃焼運転を停止させるため、運転状況を適切に確認することができなかった。
【０００９】
本発明は、以上のような従来技術が有する問題点に着目してなされたもので、吸気孔や吸気フィルターをフロントカバーに設けることで、スペース的に開口面積を広く採ることができ、また、吸気フィルターのみの特別な係脱機構を設けることなくフロントカバーごと容易に着脱でき、更に、フロントカバーを装着しないまま燃焼運転されることがないにも拘らず、フロントカバーを装着しない状態でも必要時に燃焼運転を確認することができる燃焼装置を提供することを目的としている。
【００１０】
【課題を解決するための手段】
前述した目的を達成するための本発明の要旨とするところは、以下の各項に存する。
１．器具ケース（１１）内にバーナーや区画された燃焼室（３０）、給排気用の燃焼ファン（３６）を含む燃焼関連器具を収納して成る燃焼装置（１０）において、
前記器具ケース（１１）の前面を成す着脱自在なフロントカバー（１１Ｂ）に、吸気用開口部（１４）を設け、該開口部（１４）に吸気フィルター（１５）を装着し、
前記器具ケース（１１）内の前面端縁側に、前記吸気フィルター（１５）を含むフロントカバー（１１Ｂ）の端縁側に係脱することで、フロントカバー（１１Ｂ）の装着状態と非装着状態を検知するカバー装着検出手段（５０）を配設し、
前記カバー装着検出手段（５０）によりフロントカバー（１１Ｂ）の非装着状態が検知された際、装置の燃焼運転が停止するように制御し、
前記器具ケース（１１）内の前面端縁側における前記カバー装着検出手段（５０）の近傍に、前記フロントカバー（１１Ｂ）が非装着状態であるにも拘らず、前記カバー装着検出手段（５０）に強制的に装着状態を検知させる運転継続手段（５５，Ｄ）を設けたことを特徴とする燃焼装置（１０）。
【００１２】
２．前記運転継続手段は、前記カバー装着検出手段（５０）の近傍に突設した取付ブラケット（５５）と、カバー装着検出手段（５０）に係合する状態で前記取付ブラケット（５５）に取付けられるドライバー（Ｄ）とから成ることを特徴とする１項記載の燃焼装置（１０）。
【００１３】
３．前記ドライバー（Ｄ）を取付ブラケット（５５）から外さないと、前記フロントカバー（１１Ｂ）を装着できないように構成したことを特徴とする２項記載の燃焼装置（１０）。
【００１４】
４．前記カバー装着検出手段（５０）はＯＮ位置とＯＦＦ位置と出没可能なプランジャ（５２）を備えたスイッチから成り、
前記ドライバー（Ｄ）のブレード（Ｄ１）を嵌合させる取付ブラケット（５５）の嵌合孔（５９ａ）を、前記カバー装着検出手段（５０）のプランジャ（５２）のＯＮ上限とＯＮ下限との略中間に位置するように設けたことを特徴とする２項記載の燃焼装置（１０）。
【００１５】
５．フロントカバー（１１Ｂ）の端縁裏側に、前記取付ブラケット（５５）にドライバー（Ｄ）を嵌合させたままフロントカバー（１１Ｂ）を装着しようとすると、ドライバー（Ｄ）に干渉する障害壁（１１Ｂ１，１１Ｂ２）を設けたことを特徴とする３項記載の燃焼装置（１０）。
【００１６】
６．前記フロントカバー（１１Ｂ）に吸気フィルター（１５）を着脱自在に装着し、フロントカバー（１１Ｂ）の端縁側に係合させた吸気フィルター（１５）の端縁側に対して、前記カバー装着検出手段（５０）が係脱するように設定したことを特徴とする１，２，３，４または５項記載の燃焼装置（１０）。
【００１７】
次に前述した解決手段に基づく作用を説明する。
１項に係る燃焼装置（１０）では、器具ケース（１１）の前面を成す着脱自在なフロントカバー（１１Ｂ）に吸気用開口部（１４）を設けたから、スペース的に開口面積を広く採ることができ、吸気効率を高められる。吸気用開口部（１４）には吸気フィルター（１５）を装着するが、この吸気フィルター（１５）のみの特別な係脱機構を設けることなく、装置本体側からフロントカバー（１１Ｂ）ごと取り外すことができる。また、吸気フィルター（１５）は装置正面側に位置するため、掃除等を容易に行なうことができる。
【００１８】
また、カバー装着検出手段（５０）は器具ケース（１１）内の前面端縁側に配設され、前記吸気フィルター（１５）を含むフロントカバー（１１Ｂ）の端縁側に係脱することで、フロントカバー（１１Ｂ）の装着状態と非装着状態を検知する。従って、カバー装着検出手段（５０）のフロントカバー（１１Ｂ）に対する係脱は、該フロントカバー（１１Ｂ）の前後に凹凸する歪みに余り影響されずに済み、カバー装着検出手段（５０）の誤動作を極力防止することができる。
【００１９】
そして、前記カバー装着検出手段（５０）によりフロントカバー（１１Ｂ）の非装着状態が検知された際には、装置の燃焼運転が停止するように制御されるから、吸気フィルター（１５）を含むフロントカバー（１１Ｂ）を装着し忘れたまま、装置を燃焼運転することを未然に防止できる。従って、吸入空気に混在していたごみ等が燃焼室（３０）の内壁に付着したりして、燃焼不良等の問題が生じることはない。
【００２０】
更に、器具ケース（１１）内におけるカバー装着検出手段（５０）の近傍に設けた運転継続手段（５５，Ｄ）により、フロントカバー（１１Ｂ）が非装着状態であるにも拘らず、カバー装着検出手段（５０）は強制的に装着状態を検知する。従って、燃焼運転が停止することなく、フロントカバー（１１Ｂ）を外して運転状況を確認しながらメンテナンスを行なうことが可能となる。
【００２１】
２項に係る燃焼装置（１０）では、前記運転継続手段は、カバー装着検出手段（５０）の近傍に突設した取付ブラケット（５５）と、カバー装着検出手段（５０）に係合する状態で取付ブラケット（５５）に取付けられるドライバー（Ｄ）とから成るため、簡易な構成で確実に前述した運転継続手段の作用を達成することができる。
【００２２】
３項に係る燃焼装置（１０）では、前記ドライバー（Ｄ）を取付ブラケット（５５）から外さないと、前記フロントカバー（１１Ｂ）を装着できないように構成したから、前記１項におけるメンテナンスを終了した後に、カバー装着検出手段（５０）が強制的に装着状態を検知したままの状態で、フロントカバー（１１Ｂ）を装着することを確実に防止することができる。
【００２３】
４項に係る燃焼装置（１０）では、ドライバー（Ｄ）のブレード（Ｄ１）を嵌合させる取付ブラケット（５５）の嵌合孔（５９ａ）を、カバー装着検出手段（５０）のプランジャ（５２）のＯＮ上限とＯＮ下限との略中間に位置させたから、ドライバー（Ｄ）のブレード（Ｄ１）はプランジャ（５２）を確実にＯＮ状態に保持でき、カバー装着検出手段（５０）に装着状態を検知させることができる。
【００２４】
５項に係る燃焼装置（１０）では、フロントカバー（１１Ｂ）の端縁裏側に、ドライバー（Ｄ）に干渉する障害壁（１１Ｂ１，１１Ｂ２）を設けたから、簡易な構成でカバー装着検出手段（５０）がドライバー（Ｄ）によりＯＮ状態に保持されたままで、フロントカバー（１１Ｂ）を装着するのを防止することができる。
【００２５】
６項に係る燃焼装置（１０）では、フロントカバー（１１Ｂ）の端縁側に係合させた吸気フィルター（１５）の端縁側に対して、カバー装着検出手段（５０）が係脱するようにしたから、フロントカバー（１１Ｂ）の前後に凹凸する歪みに影響されることなく、吸気フィルター（１５）が装着されているのに、カバー装着検出手段（５０）がＯＦＦ状態（吸気フィルター（１５）の不感知）になるのを防ぐことができる。
【００２６】
【発明の実施の形態】
以下、図面に基づき本発明を代表する実施の形態を説明する。
図１〜図４は本発明の一の実施の形態を示している。
本実施の形態に係る燃焼装置１０は、屋内設置タイプのガス燃焼式の給湯器である。燃焼装置１０の器具ケース１１内には、燃焼室３０や給排気用の燃焼ファン３６、燃焼運転を制御する制御装置２１等が収納されており、燃焼用の空気をフロントカバー１１Ｂに設けた吸気用開口部１４から取り入れ、燃焼後の排気を排気筒４１を通じて屋外に排出するように構成されている。
【００２７】
図２に示すように、器具ケース１１は、前面側が開口した箱型のケース本体１１Ａと、該ケース本体１１Ａの正面側開口を覆う着脱自在なフロントカバー１１Ｂとから成る。ケース本体１１Ａの天井壁には排気筒４１を通す切欠１２が形成されている。フロントカバー１１Ｂの略中央より下側の位置には、燃焼用空気を取り込むための吸気用開口部１４が横長矩形状に設けられ、該吸気用開口部１４の両端はフロントカバー１１Ｂの前面端縁側まで延びている。
【００２８】
吸気用開口部１４には、ごみ等の侵入を防ぐ吸気フィルター１５が装着されている。吸気フィルター１５は、合成樹脂製の縁枠１６の窓部に、例えばステンレス製の３０〜４０番の網目の大きさのメッシュ網を張り渡したものである。本実施の形態では吸気フィルター１５は、その縁枠１６にある係止片１５ａによって吸気用開口部１４の取付溝１４ｂに対して着脱自在に構成されている。ここで係止片１５ａや取付溝１４ｂは、フロントカバー１１Ｂの前面端縁付近に位置する。なお、吸気フィルター１５をフロントカバー１１Ｂに一体的に設けてもよい。
【００２９】
吸気用開口部１４の一端側下方には、リモコン用の開口部１３が設けられている。この開口部１３は、リモコン１９が合致することで移動不能に位置決めされ、該リモコン１９の操作面を器具ケース１１外に表出させるためのものである。リモコン１９は、後述する制御装置２１に接続され、燃焼運転をＯＮ／ＯＦＦしたり、給湯の設定温度を指定する等、所定の入力操作を行なうものである。
【００３０】
図２に示すように、ケース本体１１Ａ内に配設された燃焼室３０の前面壁には支持板３０ａが固設されている。この支持板３０ａ上におけるケース本体１１Ａの一側壁寄りの位置には、取付ブラケット５５を介してカバー装着検出手段としてのフィルタ検出スイッチ５０が固定されている。
【００３１】
フィルタ検出スイッチ５０は、ケース本体１１Ａ内の前面端縁側に位置しており、該フィルタ検出スイッチ５０は、前記吸気フィルター１５を含むフロントカバー１１Ｂの端縁側に係脱することで、フロントカバー１１Ｂの装着状態と非装着状態を検知するように設定されている。詳しくは図３に示すように、フィルタ検出スイッチ５０は、立方体のケース本体５１の前面に、可動子としてのプランジャ５２がＯＮ位置とＯＦＦ位置とに出没可能に突設されて成り、プランジャ５２の出没ストロークは比較的大きく設定されている。
【００３２】
このプランジャ５２は、取付ブラケット５５の挿通孔５８ａより前方へ突出しており、このプランジャ５２は、ケース本体１１Ａにフロントカバー１１Ｂが正しく装着された時、該フロントカバー１１Ｂの小孔１４ａを通って吸気フィルター１５の縁に係合して押込まれる一方、ケース本体１１Ａからフロントカバー１１Ｂが外された時、押込みスイッチ動作が解除され、通常の突出した状態に戻るようになっている。
【００３３】
フィルタ検出スイッチ５０は、そのプランジャ５２が押込まれるとフロントカバー１１Ｂの装着検出信号（例えばＯＮ信号）を制御装置２１に出力する一方、プランジャ５２が通常の突出した状態にある時は、フロントカバー１１Ｂの非装着検出信号（例えばＯＦＦ信号）を制御装置２１に出力するように設定されている。
【００３４】
詳しくは図３に示すように、プランジャ５２における吸気フィルター１５の装着時のＯＮポイントと、後述するドライバーＤの嵌合時のＯＮポイントとは、プランジャ５２の出没ストローク中におけるＯＮ位置の上限と下限との間に位置するように配置されている。なお、フィルタ検出スイッチ５０のプランジャ５２は、吸気フィルター１５ではなくフロントカバー１１Ｂの端縁に直接係脱するように配置してもよい。
【００３５】
図１および図３に示すように、取付ブラケット５５は、燃焼室３０側へ固設する固定壁５６、側壁５７、前記フィルタ検出スイッチ５０のプランジャ５２を通す挿通孔５８ａがある基準面壁５８、それに取付壁５９を有する。かかる取付ブラケット５５は、その取付壁５９の嵌合孔５９ａに一時的に嵌合させるドライバーＤと共に、前記フロントカバー１１Ｂが非装着状態であるにも拘らず、フィルタ検出スイッチ５０に強制的に装着状態を検知させる運転継続手段を構成するものである。
【００３６】
すなわち、ドライバーＤは、そのブレードＤ１でフィルタ検出スイッチ５０のプランジャ５２を押込むような状態にして、ブレードＤ１の先端側を取付ブラケット５５の嵌合孔５９ａに嵌合させることができる。かかるドライバーＤにより、フロントカバー１１Ｂが非装着状態であるにも拘らず、フィルタ検出スイッチ５０に強制的に装着検知信号を出力させることができる。
【００３７】
図３に示すように、嵌合孔５９ａは、フィルタ検出スイッチ５０のプランジャ５２のＯＮ上限とＯＮ下限とのストローク方向における略中間に位置するように設定されている。なお、取付ブラケット５５の嵌合孔５９ａに嵌合させてフィルタ検出スイッチ５０のプランジャ５２を押込む手段は、ドライバーＤに限られるものではない。
【００３８】
また、取付ブラケット５５に嵌合させるドライバーＤを嵌合させたままの状態で、フロントカバー１１Ｂを装着しようとすると、該カバー１１Ｂの端縁裏側の段壁１１Ｂ１，１１Ｂ２がドライバーＤに干渉するようになっている。すなわち、嵌合孔５９ａのある取付壁５９の左右両側（片側のみでもよい）に対応するように、フロントカバー１１Ｂの段壁１１Ｂ１，１１Ｂ２が障害壁として設定され、ドライバーＤを外さないとフロントカバー１１Ｂを装着できないようになっている。
【００３９】
図２に示すように、ケース本体１１Ａの一側壁側にはカバー部材２０が装着され、このカバー部材２０内に、制御装置２１やリモコン１９の送受信器等が内装されている。制御装置２１は、主に燃焼運転等の装置全体の作動を制御するものであり、ＣＰＵ，ＲＯＭ，ＲＡＭ等を含むマイクロコンピューターから成る。制御装置２１は機能的には燃焼制御部２２や運転停止部２３を備えている。
【００４０】
燃焼制御部２２は、リモコン１９で指定された設定温度の湯を作り出すように、燃焼室３０へのガス供給量を可変制御し、かつガス量に見合うように燃焼ファン３６の回転制御を行なう手段である。運転停止部２３は、前記フィルタ検出スイッチ５０から装着検出信号を受けた際に、燃焼制御部２２にそのまま燃焼運転の制御を行なわせる一方、前記フィルタ検出スイッチ５０から非装着検出信号を受けた際には運転停止信号を燃焼制御部２２に出力し、燃焼運転を停止させる手段である。
【００４１】
また、図２に示すように、ケース本体１１Ａ内の燃焼室３０の上部には、ガスを燃焼させて得た熱によって水を暖める熱交換器３１が配置されている。また、燃焼室３０内には、ガス供給パイプに連通接続されたバーナーが設けられており、熱交換器３１には、給水パイプ３２と給湯パイプ３３が接続されている。また、燃焼室３０および熱交換器３１の側方には防振箱３４が配設されている。
【００４２】
熱交換器３１の上方には、燃焼室３０から出る排気を排出するための排気ケース３５が配設され、排気ケース３５には、モーター３７で回転駆動する燃焼ファン３６の吸込口が設けられている。また、排気ケース３５は排気ダクト３８を介して、防振箱３４の上側に配設された排気ボックスのチャンバ室４０に連通接続されている。
【００４３】
チャンバ室４０は、排気の流れる方向と垂直な断面の面積が排気ダクト３８のそれよりも大きい空間であり、燃焼ファン３６からの排気流の流速を低下させる機能を備えている。チャンバ室４０の内部には、一酸化炭素濃度を検出するための排気センサ（図示せず）が取付けられている。また、チャンバ室４０の上面には器具ケース１１へ突出させる排気筒４１が設けられている。
【００４４】
次に作用を説明する。
本実施の形態に係る燃焼装置１０では、図２に示すように、器具ケース１１の前面を成すフロントカバー１１Ｂに吸気用開口部１４を設けたから、例えば、ケース本体１１Ａの側壁に比しスペース的に開口面積を広く採ることができ、それにより吸気効率を高めることができる。
【００４５】
吸気用開口部１４には吸気フィルター１５を装着するが、この吸気フィルター１５は装置正面側に位置するため、清掃する時にフロントカバー１１Ｂから容易に取り外すことができる。また、吸気フィルター１５をフロントカバー１１Ｂから外すことなく、装置本体側からフロントカバー１１Ｂごと取り外して清掃しても良い。
【００４６】
また、フィルタ検出スイッチ５０は、ケース本体１１Ａ内の前面端縁側に配設され、このフィルタ検出スイッチ５０のプランジャ５２は、フロントカバー１１Ｂの端縁側に位置する吸気フィルター１５の縁枠１６の端に係脱することで、フロントカバー１１Ｂの装着状態と非装着状態を検知する。
【００４７】
かかる場合、フィルタ検出スイッチ５０のプランジャ５２のフロントカバー１１Ｂ側に対する係脱は、該フロントカバー１１Ｂの前後に凹凸するような歪みには余り影響されずに済み、フィルタ検出スイッチ５０の誤動作を極力防止することができる。また、フィルタ検出スイッチ５０は、フロントカバー１１Ｂの装着状態のみならず、該フロントカバー１１Ｂの吸気用開口部１４に対する吸気フィルター１５の装着の有無をも検出することができる。
【００４８】
ここで吸気フィルター１５の係止片１５ａも、これが係合する取付溝１４ｂもフロントカバー１１Ｂの端縁側に位置しており、係止片１５ａの取付溝１４ｂに対する係合はフロントカバー１１Ｂの端縁側で行なわれる。従って、吸気フィルター１５が装着されているにも拘らず、フロントカバー１１Ｂの歪みに伴う吸気フィルター１５の変形と吸気フィルター１５自体の歪みにより、フィルタ検出スイッチ５０がＯＦＦ（非装着状態を検知）になるのが防止される。
【００４９】
フィルタ検出スイッチ５０のプランジャ５２は、ケース本体１１Ａにフロントカバー１１Ｂが正しく装着された時、該フロントカバー１１Ｂの小孔１４ａを通って吸気フィルター１５の縁に係合して押込まれ、フロントカバー１１Ｂの装着検出信号（例えばＯＮ信号）を出力する。この装着検出信号を制御装置２１が受けると、その運転停止部２３は燃焼制御部２２にそのまま燃焼運転の制御を行なわせる。
【００５０】
一方、ケース本体１１Ａからフロントカバー１１Ｂが外されたり、正しく装着されていない時は、プランジャ５２の押込みスイッチ動作は解除され、本来の突出した状態に戻って、フロントカバー１１Ｂの非装着検出信号（例えばＯＦＦ信号）を出力する。この非装着検出信号を制御装置２１が受けると、その運転停止部２３は運転停止信号を燃焼制御部２２に出力し、燃焼運転を停止させる。この時、警報を発するようにしてもよい。
【００５１】
このように、フィルタ検出スイッチ５０によりフロントカバー１１Ｂの非装着状態が検知された際には、燃焼運転が停止するように制御されるから、吸気フィルター１５を含むフロントカバー１１Ｂを装着し忘れたまま、装置を燃焼運転することを未然に防止できる。従って、吸入空気に混在していたごみ等が燃焼室３０の内壁に付着したりして、燃焼不良等の問題が生じることはない。
【００５２】
また、図１および図３に示すように、ドライバーＤのブレードＤ１で前記フィルタ検出スイッチ５０のプランジャ５２を押込むような状態にして、ブレードＤ１の先端側を取付ブラケット５５の嵌合孔５９ａに嵌合させれば、フロントカバー１１Ｂ（または吸気フィルター１５）が非装着状態であるにも拘らず、フィルタ検出スイッチ５０に強制的に装着検知信号出力をさせることができる。すなわち、フィルタ検出スイッチ５０は装着検出信号（例えばＯＮ信号）を制御装置２１に出力する。
【００５３】
かかる場合、燃焼運転が停止することなく、フロントカバー１１Ｂを外して運転状況を確認しながら、ケース本体１１Ａ内の各種関連器具のメンテナンスを行なうことが可能となる。ここで取付ブラケット５５にドライバーＤを嵌合させたままの状態で、フロントカバー１１Ｂを装着しようとすると、該カバー１１Ｂの端縁裏側の段壁１１Ｂ１，１１Ｂ２がドライバーＤに干渉してしまう。
【００５４】
従って、ドライバーＤを取付ブラケット５５から外さないと、フロントカバー１１Ｂを装着できず、メンテナンスを終了した後に、フィルタ検出スイッチ５０が強制的に装着状態を検知したままの状態で、フロントカバー１１Ｂを装着することを確実に防止することができる。
【００５５】
また、取付ブラケット５５に嵌合させるドライバーＤの向きを、図１および図３に示す状態とは逆向きにしても（ただし、ブレードＤ１の先端側でプランジャ５２を押込む状態にする。）、ドライバーＤの把手本体がケース本体１１Ａの側方にはみ出すので、フィルタ検出スイッチ５０が強制的に装着状態を検知したままフロントカバー１１Ｂを装着するのを防止できる。
【００５６】
なお、本発明に係る燃焼装置は前記実施の形態に限定されるものではなく、様々な具体的な構成を採り得る。例えば、カバー装着検出手段を光センサ等で構成しても良く、また、フィルタ検出スイッチのプランジャを吸気フィルターではなくフロントカバーの端縁に直接係脱されるように配置してもよい。
【００５７】
また、本実施の形態では、燃焼装置を給湯器として説明したが、風呂釜や暖房機等の他の装置に適用してもかまわない。ここで暖房機としての石油ファンヒーターでは、フロントカバーは通常本体裏側に位置するが、このように本体の裏側に吸気用開口ブラケットや吸気フィルターが装着されるものにも本発明は適用されるものである。
【００５８】
【発明の効果】
本発明に係る燃焼装置によれば、器具ケースの前面を成すフロントカバーに吸気用開口部を設けたから、スペース的に開口面積を広く採ることができ、吸気効率を高められ、また、吸気用開口部に装着した吸気フィルターは、装置本体側からフロントカバーごと簡単に取り外すことができ、掃除、交換作業等を容易に行なうことができる。また、カバー装着検出手段は器具ケース内の前面端縁側に配設されるから、カバー装着検出手段のフロントカバーに対する係脱は、該フロントカバーの前後に凹凸する歪みに余り影響されずに済み、カバー装着検出手段の誤動作を極力防止することができる。
【００５９】
また、カバー装着検出手段によりフロントカバーの非装着状態が検知された際には、装置の燃焼運転が停止するように制御されるから、吸気フィルターを含むフロントカバーを装着し忘れたまま、装置を燃焼運転することを未然に防止できる。しかも、運転継続手段により、フロントカバーが非装着状態であるにも拘らず、カバー装着検出手段に強制的に装着状態を検知させることができ、燃焼運転が停止することなく、フロントカバーを外して運転状況を確認しながらメンテナンスを行なうことが可能となる。
【図面の簡単な説明】
【図１】本発明の一の実施の形態に係る燃焼装置を構成するケース本体内に配設する燃焼室と、フィルタ検出スイッチ、取付ブラケットを示す正面図である。
【図２】本発明の一の実施の形態に係る燃焼装置を分解して示す斜視図である。
【図３】図１のIII 線矢視図である。
【図４】本発明の一の実施の形態に係る燃焼装置を構成する制御装置を示すブロック図である。
【符号の説明】
１０…燃焼装置
１１…器具ケース
１１Ａ…ケース本体
１１Ｂ…フロントカバー
１４…吸気用開口部
１５…吸気フィルター
２０…ケース部材
２１…制御装置
２２…燃焼制御装置
２３…運転停止部
３０…燃焼室
３１…熱交換器
４０…チャンバ室
４１…排気筒
５０…フィルタ検出スイッチ（カバー装着検出手段）
５５…取付ブラケット（運転継続手段）
Ｄ…ドライバー（運転継続手段）
【図１】
0003655724.tif 000002
【図２】
0003655724.tif 000003
【図３】
0003655724.tif 000004
【図４】
0003655724.tif 000005